(57)【特許請求の範囲】
【請求項１】
汚染物質を吸入する吸入ホース（１００）；
内部に汚染物質を吸入するために吸入力を形成する第１のポンプ（１０）；
前記吸入ホース（１００）に吸入された汚染物質を供給管（１０１）を介して受け取り、汚染物質を固体と液体とに分離する遠心分離器部（３００）；及び
前記遠心分離器部（３００）で分離された液体が供給されて下水と廃脂肪とに分離される液体分離部（４００）；を含み、
前記液体分離部（４００）は、
前記液体を下水と廃脂肪とに分離するための気泡分散器（４２１）が備えられた分離部（４２０）；
前記下水が貯蔵される下水貯蔵部（４３０）；
前記廃脂肪を回収するための廃脂肪回収器（４２２）；及び
前記廃脂肪回収器（４２２）で回収された廃脂肪を貯蔵する廃脂肪貯蔵部（５００）；を含み、
前記下水貯蔵部（４３０）と連結され、前記第１のポンプ（１０）及び前記吸入ホース（１００）の前端に位置したノズル部（１３０）に前記下水貯蔵部（４３０）の水を供給する第２のポンプ（２０）；を含み、
前記第２のポンプ（２０）は、前記第１のポンプ（１０）と連結された第１のポンプ配管に備えられる第１のバルブ（２１）の制御によって前記第１のポンプ（１０）に水を供給し、前記吸入ホース（１００）の側面に位置する供給ホース（１４０）と連結された供給配管に備えられる第２のバルブ（２２）の制御によって前記ノズル部（１３０）に水を供給することを特徴とするグリーストラップ掃除機。
【請求項２】
前記吸入ホース（１００）の前端部には磁石（１２０）が備えられることを特徴とする、請求項１に記載のグリーストラップ掃除機。
【請求項３】
前記遠心分離器部（３００）は、
吸入された汚染物質が収容される分離容器（３１０）；
前記分離容器（３１０）の下部に位置し、前記分離容器（３１０）を回転させるモーター（３４０）；及び
前記分離容器（３１０）の上部に位置し、吸入された汚染物質を前記分離容器（３１０）に均一に分配する分配器（３３０）；を含むことを特徴とする、請求項１に記載のグリーストラップ掃除機。
【請求項４】
前記グリーストラップ掃除機（１０００）には、前記下水貯蔵部（４３０）の下水を排出部（６００）を介して排出させる第３のポンプ（３０）が備えられることを特徴とする、請求項１に記載のグリーストラップ掃除機。
【請求項５】
前記グリーストラップ掃除機（１０００）には、前記第１のポンプ（１０）の前端に汚染物質を粉砕する粉砕装置（１５０）が備えられることを特徴とする、請求項１に記載のグリーストラップ掃除機。
【請求項６】
前記グリーストラップ掃除機（１０００）には、電気によって駆動する移動車輪（７００）が備えられることを特徴とする、請求項１に記載のグリーストラップ掃除機。
【発明の詳細な説明】
【技術分野】
【０００１】
本発明は、グリーストラップ掃除機に関し、より詳細には、グリーストラップの内部に散在されたスラッジ及び廃脂肪などを含む汚染物質を吸入し、廃脂肪を分離し、スラッジを脱水して処理する掃除機であって、移動車輪が形成されるので移動が簡便であり、湿式及び乾式異物を区分せずに吸入して処理できるだけでなく、グリーストラップの掃除により、環境汚染を防止し、食中毒及び下水管渠の閉塞などを予防できるグリーストラップ掃除機に関する。
【背景技術】
【０００２】
学校及び会社などの大型給食施設に設置されているグリーストラップは、隔壁を備えており、食物の残り物からの廃脂肪を網と比重差を用いて分離している。
【０００３】
しかし、一般的なグリーストラップは、狭い空間と速い流速に対する処理方法が不十分であるので、環境汚染と水因性伝染病の要因となっている実情にある。
【０００４】
また、グリーストラップの管理が充実しておらず、これによる環境汚染が深刻な実情にある。
【０００５】
前記の問題を解決するために、多様な乾式及び湿式真空掃除機が普及されているが、普遍的な乾式掃除機は、主に乾式異物を吸入可能であるという問題を有する。
【０００６】
湿式掃除機は、水分及びスラッジの吸入が可能であるが、容量が大きく、高価な掃除機であるので、低容量、小規模の汚染対象を処理するには限界が発生するという問題を有する。
【０００７】
また、湿式掃除機は、吸入された水分及びスラッジを自然流下方式によって分離しているので、汚染物質処理の効率性が低下するという問題を有する。
【０００８】
大韓民国公開特許公報特１９９７―０００９７３４号には、本体の浄水貯蔵タンクから水を受けて噴水し、底面から除去された異物を含有した汚水を吸入する「水位感知センサーを用いたヘッドリザーバー式水ジェット掃除機」が提案されたことがある。
【０００９】
前記の水位感知センサーを用いたヘッドリザーバー式水ジェット掃除機は、水分及びスラッジを含む物質の掃除を容易に行えるという長所を有するが、水分及びスラッジに含まれた廃脂肪または油分成分が共に吸入されるという問題を有する。
【００１０】
前記の装置は、吸入された汚染物質から廃脂肪を分離するための作業を行わなければならないので、作業の煩雑さが発生し、汚染物質処理の効率性が低下するという問題を有する。
【発明の概要】
【発明が解決しようとする課題】
【００１１】
本発明は、上述した問題を解決するためになされたものであって、本発明の目的は、グリーストラップ内に散在された生ごみを含む各種汚染物質を吸入することによって、グリーストラップを清潔に維持させるグリーストラップ掃除機を提供することにある。
【００１２】
特に、本発明の目的は、グリーストラップ内に散在された生ごみを含む各種汚染物質を吸入することによって、環境汚染を防止し、食中毒及び下水管渠の閉塞を予防できるグリーストラップ掃除機を提供することにある。
【００１３】
また、本発明の目的は、グリーストラップ内に散在された生ごみを含む各種汚染物質を吸入した後、廃脂肪及び油分を分離して別途に貯蔵してから回収することによって、廃脂肪による水質汚染を予防できるグリーストラップ掃除機を提供することにある。
【００１４】
また、本発明の目的は、廃脂肪を分離した下水をポンプを用いて吸入ホースまたは真空ポンプに供給し、この下水をグリーストラップ掃除機を用いたグリーストラップ内の汚染物質を処理するのに再び利用することによって、リサイクル性に優れ、作業費用を減少させるグリーストラップ掃除機を提供することにある。
【００１５】
併せて、本発明の目的は、グリーストラップ掃除機に移動車輪を形成するので移動が容易なだけでなく、湿式及び乾式異物を区分せずに処理できるグリーストラップ掃除機を提供することにある。
【００１６】
また、本発明の目的は、給食施設の他に、小規模下水管渠掃除用、船舶で発生する船底廃水及び油類の流出時の収去用としても利用可能なグリーストラップ掃除機を提供することにある。
【課題を解決するための手段】
【００１７】
本発明に係るグリーストラップ掃除機は、汚染物質を吸入する吸入ホース；内部に汚染物質を吸入するために吸入力を形成する第１のポンプ；前記吸入ホースに吸入された汚染物質を供給管１０１を介して受け取り、汚染物質を固体と液体とに分離する遠心分離器部；及び前記遠心分離器部で分離された液体が供給されて下水と廃脂肪とに分離される液体分離部；を含み、前記液体分離部は、前記液体を下水と廃脂肪とに分離するための気泡分散器が備えられた分離部；前記下水が貯蔵される下水貯蔵部；前記廃脂肪を回収するための廃脂肪回収器；及び前記廃脂肪回収器で回収された廃脂肪を貯蔵する廃脂肪貯蔵部；を含むことを特徴とする。
【００１８】
特に、前記グリーストラップ掃除機は、前記下水貯蔵部に連結される第２のポンプをさらに含み、前記第２のポンプは、前記吸入ホースの前端に位置して水を噴射するノズル部または前記第１のポンプに水を供給することを特徴とする。
【００１９】
また、前記吸入ホースの前端部には磁石が備えられることを特徴とする。
【００２０】
また、前記遠心分離器部は、吸入された汚染物質が収容される分離容器；前記分離容器の下部に位置し、前記分離容器を回転させるモーター；及び前記分離容器の上部に位置し、吸入された汚染物質を前記分離容器に均一に分配する分配器；を含むことを特徴とする。
【００２１】
併せて、前記グリーストラップ掃除機には、前記下水貯蔵部の下水を排出部を介して排出させる第３のポンプが備えられることを特徴とする。
【００２２】
また、前記グリーストラップ掃除機には、前記第１のポンプの前端に汚染物質を粉砕する粉砕装置が備えられることを特徴とする。
【００２３】
また、前記グリーストラップ掃除機には、電気によって駆動する移動車輪が備えられることを特徴とする。
【発明の効果】
【００２４】
本発明に係るグリーストラップ掃除機は、グリーストラップ内に散在された生ごみを含む各種汚染物質を吸入することによって、グリーストラップを清潔に維持させるという長所を有する。
【００２５】
特に、本発明に係るグリーストラップ掃除機は、グリーストラップ内に散在された生ごみを含む各種汚染物質を吸入することによって、環境汚染を防止し、食中毒及び下水管渠の閉塞を予防できるという長所を有する。
【００２６】
また、本発明に係るグリーストラップ掃除機は、グリーストラップ内に散在された生ごみを含む各種汚染物質を吸入した後、廃脂肪及び油分を分離して別途に貯蔵してから回収することによって、廃脂肪による水質汚染を予防できるという長所を有する。
【００２７】
また、本発明に係るグリーストラップ掃除機は、廃脂肪を分離した下水をポンプを用いて吸入ホースまたは真空ポンプに供給し、この下水をグリーストラップの汚染物質を処理するのに再び利用することによって、リサイクル性に優れ、作業費用を減少させるという長所を有する。
【００２８】
併せて、本発明に係るグリーストラップ掃除機は、電気で駆動する移動車輪を形成するので移動が容易なだけでなく、湿式及び乾式異物を区分せずに処理できるという長所を有する。
【００２９】
また、本発明に係るグリーストラップ掃除機は、給食施設の他に、小規模下水管渠掃除用、船舶で発生する船底廃水及び油類の流出時の収去用としても利用可能であるという長所を有する。
【図面の簡単な説明】
【００３０】
【図１】従来の湿式掃除機を示した図である。
【図２】本発明に係るグリーストラップ掃除機の外形を概略的に示した図である。
【図３】本発明に係るグリーストラップ掃除機の胴体を概略的に示した図面。
【図４】本発明に係るグリーストラップ掃除機の液体分離部を概略的に示した図である。
【図５】本発明に係るグリーストラップ掃除機の吸入ホースを概略的に示した図である。
【図６】本発明に係る第１のポンプの前端に位置した粉砕装置を概略的に示した図である。
【発明を実施するための形態】
【００３１】
以下では、前記のような特徴を有する本発明に係る空圧式コネクター固定装置を添付の図面を参照して詳細に説明する。
【００３２】
ここで、本明細書及び特許請求の範囲に使用された用語や単語は、通常的または辞典的な意味に解釈してはならなく、発明者は、自身の発明を最も最善の方法で説明するために用語の概念を適宜定義できるとの原則に立脚し、本発明の技術的思想に符合する意味と概念に解釈しなければならない。
【００３３】
したがって、本明細書に記載した実施例と図面に示した構成は、本発明の最も好ましい一実施例に過ぎなく、本発明の技術的思想を全て代弁するものではないので、本出願時点において、これらに取って代わる多様な均等物と変形例があり得ることを理解しなければならない。
【００３４】
図１は、従来の湿式掃除機を示した図で、図２は、本発明に係るグリーストラップ掃除機の外形を概略的に示した図で、図３は、本発明に係るグリーストラップ掃除機の胴体を概略的に示した図で、図４は、本発明に係るグリーストラップ掃除機の液体分離部を概略的に示した図で、図５は、本発明に係るグリーストラップ掃除機の吸入ホース１００を概略的に示した図で、図６は、本発明に係る第１のポンプ１０の前端に位置した粉砕装置を概略的に示した図である。
【００３５】
図２〜図３に示したように、本発明に係るグリーストラップ掃除機は、内部に汚染物質を吸入するために吸入力を形成する第１のポンプ１０によって吸入ホース１００が汚染物質を吸入する。
【００３６】
前記吸入ホース１００によって吸入された汚染物質は、前記第１のポンプ１０と供給管１０１を経て遠心分離器部３００で固体と液体とに分離され、分離された固体は回収され、液体は液体分離部４００に供給される。
【００３７】
前記液体分離部４００に供給された液体は、分離部４２０で下水と廃脂肪とに分離され、下水は下水貯蔵部４３０に貯蔵されたり、貯蔵後に排出され、廃脂肪は廃脂肪貯蔵部５００に貯蔵されて回収される。
【００３８】
前記の本発明に係るグリーストラップ掃除機をより詳細に説明すると、図２〜図３に示したように、前記吸入ホース１００を介して吸入された汚染物質は、前記遠心分離器部３００の分離容器３１０に収容される。
【００３９】
前記分離容器３１０は、下部に位置したモーター３４０によって回転し、汚染物質を固体と液体とに分離する。
【００４０】
前記分離容器３１０は、遠心分離のために円筒状であることが好ましく、不織布バッグ３２０を備えることによって、脱水後に不織布バッグ３２０のみを除去し、固体の汚染物質を回収することができる。
【００４１】
併せて、不織布バッグ３２０が備えられない場合に備えて、前記分離容器３１０は、流体のみを通過できるように微細な空隙が形成された円筒状に形成可能であり、前記微細な空隙が形成された分離容器３１０の遠心分離を通じて固体の汚染物質を回収することができる。
【００４２】
また、前記遠心分離器部３００には、前記分離容器３１０の上部に円錐状の分配器３３０が備えられる。
【００４３】
前記分配器３３０は、汚染物質が前記分離容器３１０の一側方向のみに流入することを防止することによって、異常振動の発生を未然に防止することができる。
【００４４】
前記遠心分離器部３００で分離された液体は、流入口４１０を介して前記液体分離部４００に供給され、下水と廃脂肪とに分離される。
【００４５】
図４に示したように、前記液体分離部４００の分離部４２０には、液体を下水と廃脂肪とに分離するための気泡分散器４２１が備えられる。
【００４６】
前記分離部４２０は、前記気泡分散器４２１を備えて気泡を発生させることによって、比重と曝気によって廃脂肪を浮上させて分離する。
【００４７】
併せて、浮上された廃脂肪は、廃脂肪回収器４２２によって前記廃脂肪貯蔵部５００に貯蔵された後で回収され、下水は、隔壁４４０によって分離された下水貯蔵部４３０に貯蔵された後、第３のポンプ３０の作動によって排出部６００を介して排出される。
【００４８】
また、前記下水貯蔵部４３０にはフローティング水位感知センサーが備えられ、前記フローティング水位感知センサーによって異常水位が感知されると、前記第３のポンプ３０の駆動によって水を排出するようになる。
【００４９】
前記の廃脂肪回収器４２２は、いずれもスキマー方式、フィルター方式及びサイクロン方式で設置されて廃脂肪を回収し、一例として、図４に示したように、ホイール軸４２２―３、前記ホイール軸４２２―３に結合された回収用ホイール４２２―２及びスクレーパー４２２―１が備えられた廃脂肪回収器４２２を備えている。
【００５０】
図４に示したように、本発明に係るグリーストラップ掃除機には、前記下水貯蔵部４３０に連結される第２のポンプ２０が備えられる。
【００５１】
前記第２のポンプ２０は、前記第１のポンプ１０または前記吸入ホースの前端に位置したノズル部１３０に水を供給する。
【００５２】
すなわち、前記第２のポンプ２０は、前記第１のポンプ１０と連結された第１のポンプ配管に備えられる第１のバルブ２１の制御によって前記第１のポンプ１０に水を供給し、前記吸入ホース１００の側面に位置する供給ホース１４０と連結された供給配管に備えられる第２のバルブ２２の制御によって前記吸入ホースの前端に位置したノズル部１３０に水を供給し、前記第１のバルブ２１及び前記第２のバルブ２２はソレノイドバルブである。
【００５３】
前記第１のポンプ１０の前端に供給される水は、前記第１のポンプ１０の空転時、ポンプの損失を防止し、吸入真空を維持するために供給される。
【００５４】
図５に示したように、前記吸入ホース１００の前端には水を噴射するノズル部１３０が形成され、前記第２のポンプ２０により、前記下水貯蔵部４３０の水が前記吸入ホース１００の側面に位置する供給ホース１４０を介してノズル部１３０に供給される。
【００５５】
グリーストラップ内のコーナーや底面に形成された汚染物質は、円滑に吸入されないので、前記吸入ホース１００の前端に位置した前記ノズル部１３０のノズル１３１を介して水を噴射して吸入させる。
【００５６】
すなわち、前記ノズル部１３０を介して水を噴射し、汚染物質を揺動させた後で吸入させることによって、グリーストラップ内の吸入が難しい汚染物質をきれいに吸入することができ、吸入効率も増大するという長所がある。
【００５７】
併せて、本発明のグリーストラップ掃除機で処理された水を再び利用することによって、処理費用が減少するという効果がある。
【００５８】
また、前記の第２のポンプ２０を介して前記第１のポンプ１０または前記吸入ホース１００のノズル部１３０に供給される水は、前記下水貯蔵部４３０に貯蔵された水からリサイクル可能なだけでなく、別途の水槽（図示せず）から供給可能である。
【００５９】
図５に示したように、前記吸入ホース１００の前端には磁石１２０が備えられる。
【００６０】
前記磁石１２０が備えられることによって、磁性を有する汚染物質を１次的にろ過し、前記第１のポンプ１０及び本発明のグリーストラップ掃除機内の装備の損失を防止することができる。
【００６１】
図６に示したように、本発明のグリーストラップ掃除機には、前記第１のポンプ１０の前端に粉砕装置１５０が備えられる。
【００６２】
前記粉砕装置１５０を備えて、一定サイズ以上の汚染物質を粉砕機によって粉砕することによって、前記第１のポンプ１０の閉塞を予防することができ、前記遠心分離器部３００の脱水作業効率が増大する。
【００６３】
図２〜図３に示したように、本発明に係るグリーストラップ掃除機は、処理された固体の汚染物質及び廃脂肪を回収するだけでなく、臭い防止のために開閉可能な蓋２００を備えている。
【００６４】
前記蓋２００は、電動やエアアクチュエーター２１０を用いて開閉可能であり、作業者によって多様な方法で実施可能である。
【００６５】
併せて、図２に示したように、本発明に係るグリーストラップ掃除機には、電気によって駆動する移動車輪７００が備えられる。
【００６６】
前記移動車輪７００は、電気によって移動することによって、作業者による運搬性を高められるという長所を有する。
【００６７】
併せて、本発明に係るグリーストラップ掃除機には、電気で駆動する移動車輪７００、前記第１のポンプ１０、前記第２のポンプ２０及び前記第３のポンプ３０の駆動のために蓄電池（図示せず）が備えられる。
【００６８】
また、装置の移動性と安全性のために取っ手８００が備えられる。
【００６９】
また、本発明に係るグリーストラップ掃除機の動作のための作動スイッチ３が備えられる。
【００７０】
前記の本発明に係るグリーストラップ掃除機は、グリーストラップ内に散在された生ごみを含む各種汚染物質を吸入することによって、グリーストラップを清潔に維持させるという長所を有する。
【００７１】
特に、本発明に係るグリーストラップ掃除機は、グリーストラップ内に散在された生ごみを含む各種汚染物質を吸入することによって、環境汚染を防止し、食中毒及び下水管渠の閉塞を予防できるという長所を有する。
【００７２】
また、本発明に係るグリーストラップ掃除機は、グリーストラップ内に散在された生ごみを含む各種汚染物質を吸入した後、廃脂肪及び油分を分離して別途に貯蔵してから回収することによって、廃脂肪による水質汚染を予防できるという長所を有する。
【００７３】
また、本発明に係るグリーストラップ掃除機は、廃脂肪を分離した下水をポンプを用いて吸入ホース１００または真空ポンプに供給し、この下水をグリーストラップの汚染物質を処理するのに再び利用することによって、リサイクル性に優れ、作業費用を減少させるという長所を有する。
【００７４】
併せて、本発明に係るグリーストラップ掃除機は、電気で駆動する移動車輪７００を形成するので移動が容易なだけでなく、湿式及び乾式異物を区分せずに処理できるという長所を有する。
【００７５】
また、本発明に係るグリーストラップ掃除機は、給食施設の他に、小規模下水管渠掃除用、船舶で発生する船底廃水及び油類の流出時の収去用としても利用可能であるという長所を有する。
【符号の説明】
【００７６】
１０００    グリーストラップ掃除機
１００    吸入ホース
１０１    供給管
１１０    吸入口
１２０    磁石
１３０    ノズル部
１３１    ノズル
１４０    供給ホース
１５０    粉砕装置
２００    蓋
２１０    アクチュエーター
２２０    シャフト
３００    遠心分離器部
３１０    分離容器
３２０    不織布バッグ
３３０    分配器
３４０    モーター
４００    液体分離部
４１０    流入口
４２０    分離部
４３０    下水貯蔵部
４２１    気泡分散器
４２２    廃脂肪回収器
４２２―１    スクレーパー
４２２―２    回収用ホイール
４２２―３    ホイール軸
４４０    隔壁
５００    廃脂肪貯蔵部
６００    排出部
７００    移動車輪
８００    取っ手
１０    第１のポンプ
２０    第２のポンプ
３０    第３のポンプ
２１    第１のソレノイドバルブ
２２    第２のソレノイドバルブ
１    下水
２    廃脂肪層
３    作動スイッチ
【図１】
0005961851.tif 000002
【図２】
0005961851.tif 000003
【図３】
0005961851.tif 000004
【図４】
0005961851.tif 000005
【図５】
0005961851.tif 000006
【図６】
0005961851.tif 000007